(57)【特許請求の範囲】
【請求項１】
証書を収納しかつ一方向に複数並設された収納手段と、その収納手段から搬送されてくる証書を間に挟んで搬送する一対のフィードローラと、前記フィードローラにより搬送される証書をクランプして前記収納手段の並設方向に移動する証書キャリア手段とを有する証書取扱装置において、
前記キャリア手段に設けられた第１の検出手段と、
前記フィードローラとキャリア手段の間に配置された第２の検出手段と、
前記フィードローラにより搬送されてきた証書が前記キャリアに挿入されたことを前記第１の検出手段が検出した後、前記キャリア手段が移動するとき、前記第２の検出手段が証書を検出している場合、前記フィードローラを回転させるように制御する制御手段を具備したことを特徴とする証書取扱装置。
【発明の詳細な説明】
【０００１】
【発明の属する技術分野】
本発明は、銀行などの金融機関において証書を取り扱う証書取扱装置に関し、特に、長い証書を取り扱う証書取扱装置に関する。
【０００２】
【従来の技術】
図７は、従来の証書取扱装置の搬送系の一例を示す側面図である。
この図において、１０はキャリアであり、２０は証書収納部（図示省略）から搬送されてきた証書Ｓを一対のフィードローラ３１，３２により前記キャリア１０に搬送する装置側通路である。３０は、前記一対のフィードローラ３１，３２をそれぞれ逆方向（以下、ｃ．ｃ．ｗ．方向と言う。）に回転駆動するステッピングモータである。
【０００３】
１１は装置側通路２０から搬送されてきた証書Ｓを受け取るキャリア側通路である。また、１２および１３は、前記キャリア側通路通路１１中の証書Ｓを搬送したりまたは保持したりする一対のフィードローラである。５０は、前記一対のフィードローラ１２，１３をｃ．ｃ．ｗ．方向に回転駆動するステッピングモータである。
【０００４】
１６は光を発光する発光素子で、１７は発光素子１６から発光された光を受光する受光素子である。なお、発光素子１６で発光した光が受光素子１７により受光されたか否かよって、前記キャリア側通路通路１１中に証書Ｓがあるか否かを検出できる。
４０は前記キャリア１０をキャリア移動通路９のなかに移動させるＤＣモータである。
【０００５】
次に、従来の証書取扱装置におけて証書を搬送するときかかる動作を説明する。
証書収納部から装置側通路２０に搬送されてきた証書Ｓは、フィードローラ３１，３２によってキャリア１０のキャリア側通路１１に挿入され、その後、フィードローラ１２，１３によって、図７に示すように、所定位置に搬送される。すると、受光素子１７が発光素子１６からの光を受光できなくなるから、証書Ｓが所定位置に搬送されたことになる。
【０００６】
上記のように証書Ｓが所定位置に搬送されると、フィードローラ３１，３２およびフィードローラ１２，１３の回転は停止され、証書Ｓがフィードローラ１２，１３によりクランプされる。
次に、ＤＣモータ４０は、図８に示すように、キャリア１０を矢印Ａの方向に移動する。すると、フィードローラ１２，１３によりクランプされている証書Ｓは、キャリア１０と一緒に矢印Ａの方向に搬送される。
【０００７】
【発明が解決しようとする課題】
上記従来の証書取扱装置では、証書Ｓをクランプした状態でキャリア１０を移動するときにフィードローラ３１，３２を停止するようになっている。
しかし、証書Ｓが長い場合は、図８に示すように、その証書Ｓがフィードローラ３１，３２によりクランプされてしまう。この状態で、キャリア１０を移動すると、フィードローラ３１，３２によりクランプされた証書Ｓを無理やり引き抜くこととなり、証書の損傷や破損が発生する問題点がある。また、フィードローラ３１，３２によるクランプが強いと、証書Ｓのフィードローラ１２，１３によるクランプ位置がずれたり、証書Ｓがキャリア１０から脱落したりする問題点がある。
【０００８】
そこで、本発明の目的は、証書を損傷や破損させることなく搬送することができるようにした証書取扱装置を提供することにある。
【０００９】
【課題を解決するための手段】
上記問題を解決するために、本発明は、証書を収納しかつ一方向に複数並設された収納手段と、その収納手段から搬送されてくる証書を間に挟んで搬送する一対のフィードローラと、前記フィードローラにより搬送される証書をクランプして前記収納手段の並設方向に移動する証書キャリア手段とを有する証書取扱装置において、前記キャリア手段に設けられた第１の検出手段と、前記フィードローラとキャリア手段の間に配置された第２の検出手段と、前記フィードローラにより搬送されてきた証書が前記キャリアに挿入されたことを前記第１の検出手段が検出した後、前記キャリア手段が移動するとき、前記第２の検出手段が証書を検出している場合、前記フィードローラを回転させるように制御する制御手段を具備したことを特徴とする。
【００１０】
上記証書取扱装置によれば、証書がフィードローラの間に残っていても、フィードローラが回転するから、証書がスムーズに引き抜かれ、証書の損傷や破損を防止できることとなる。
【００１１】
【発明の実施の形態】
以下、図に示す実施の形態により本発明をさらに詳細に説明する。なお、これにより本発明が限定されるものではない。
図１は、本発明の証書取扱装置を含む通帳証書発行装置の側面図である。
【００１２】
この通帳証書発行装置１には、媒体としての通帳および証書を繰り出し可能に収納する通帳証書繰出装置２が具備され、その上部に通帳または証書を搬送する搬送路３が設けられている。前記通帳証書繰出装置２は、通帳を書類毎に収納する通帳収納部２ａと、証書を書類毎に収納する証書収納部２ｂを具備している。前記搬送路３に沿って、通帳を改頁する改頁部４、通帳の頁、印字済み行を検出する頁、印字済み行検出部５、通帳または証書に印字を行う印字部６および通帳に設けられている磁気ストライプに磁気記録または磁気読取を行う磁気記録部７が設けられている。また、上部には、通帳証書排出部８が形成され、発行される通帳または証書はここから排出される。
【００１３】
キャリア１０は、キャリア移動通路９を介して証書収納部２ｂまで移動する。そして、証書収納部２ｂから繰り出された証書を保持して搬送路３まで移動し、その証書を搬送路３に送り込む。
図２は、上記通帳証書発行装置１の制御系のブロック図である。なお、この図では、通帳証書発行装置１に含まれていても実施の形態の証書取扱装置にとくに関係がない部分については要素の図示を省略し、説明も省略する。
【００１４】
この図において、制御部１１０は通帳証書発行装置１の動作を制御するもので、マイクロプロセッサ等で構成されている。制御部１１０には端末装置１１１およびモータ駆動回路１１２が接続されている。端末装置１１１は例えば銀行員等が操作し、通帳や証書の発行指示等を行う。
モータ駆動回路１１２は、後述するステッピングモータ３０，５０とＤＣモータ４０が接続されており、これらのモータを回転駆動する。また、制御部１１０にはキャリア１０に設けられ後述する検出センサ１８が接続されている。
【００１５】
図３は、本発明の参考例として示す証書取扱装置の搬送系の側面図である。
この図において、１０はキャリアであり、２０は証書収納部２ｂから搬送されてきた証書Ｓを一対のフィードローラ３１，３２により前記キャリア１０に搬送する装置側通路である。３０は、前記一対のフィードローラ３１，３２をc.c.w.方向に回転駆動するステッピングモータである。
【００１６】
前記フィードローラ３１，３２には、ワンウェイギア３３が設けられている。このワンウェイギア３３により、前記フィードローラ３１，３２にはｃ．ｃ．ｗ．方向にのみ回転力が伝達される。
１１は装置側通路２０から搬送されてきた証書Ｓを受け取るキャリア側通路である。また、１２および１３は、前記キャリア側通路１１中の証書Ｓを搬送したりまたは保持したりする一対のフィードローラである。５０は、前記一対のフィードローラ１２，１３をｃ．ｃ．ｗ．方向に回転駆動するステッピングモータである。
【００１７】
１６は光を発光する発光素子で、１７は発光素子１６から発光された光を受光する受光素子である。なお、発光素子１６で発光した光が受光素子１７により受光されたか否かよって、前記キャリア側通路１１中に証書Ｓがあるか否かを検出できる。前記発光素子１６と受光素子１７により検出センサが構成される。
４０は前記キャリア１０をキャリア移動通路９のなかに移動させるＤＣモータである。
【００１８】
次に、上記証書取扱装置において証書を搬送するときかかる動作を説明する。
証書収納部から装置側通路２０に搬送されてきた証書Ｓは、フィードローラ３１，３２によってキャリア１０のキャリア側通路１１に挿入され、その後、フィードローラ１２，１３によって、図３に示すように、所定位置に搬送される。すると、受光素子１７が発光素子１６からの光を受光できなくなるから、証書Ｓが所定位置に搬送されたことになる。
【００１９】
上記のように証書Ｓが所定位置に搬送されると、フィードローラ３１，３２およびフィードローラ１２，１３の回転は停止され、証書Ｓがフィードローラ１２，１３によりクランプされる。
次に、ＤＣモータ４０は、図４に示すように、キャリア１０を矢印Ａの方向に移動する。すると、フィードローラ１２，１３によりクランプされている証書Ｓは、キャリア１０と一緒に矢印Ａの方向に搬送される。
【００２０】
このとき、証書Ｓが、フィードローラ３１，３２の間に残っている場合は、フィードローラ３１，３２がワンウエイギア３３により証書Ｓの移動に追従して回転する。このため、証書Ｓに無理な力が掛からなくなり、証書Ｓがスムーズに引き抜かれる。
−実施の形態−
図５は、本発明の実施の形態を示す証書取扱装置の搬送系の側面図である。
【００２１】
この図において、１０はキャリアであり、２０は証書収納部２ｂから搬送されてきた証書Ｓを一対のフィードローラ３１，３２により前記キャリア１０に搬送する装置側通路である。３０は、前記一対のフィードローラ３１，３２をそれぞれ逆方向に回転駆動するステッピングモータである。
３４は光を発光する発光素子で、３５は発光素子３４から発光された光を受光する受光素子である。なお、発光素子３４で発光した光が受光素子３５により受光されたか否かよって、前記フィードローラ３１，３２の間に証書Ｓが残っているか否かを検出できる。前記発光素子３４と受光素子３５により検出センサが構成される。
【００２２】
１１は装置側通路２０から搬送されてきた証書Ｓを受け取るキャリア側通路である。また、１２および１３は、前記キャリア側通路１１中の証書Ｓを搬送したりまたは保持したりする一対のフィードローラである。５０は、前記一対のフィードローラ１２，１３をそれぞれ逆方向に回転駆動するステッピングモータである。
【００２３】
１６は光を発光する発光素子で、１７は発光素子１６から発光された光を受光する受光素子である。なお、発光素子１６で発光した光が受光素子１７により受光されたか否かよって、前記キャリア側通路１１中に証書Ｓがあるか否かを検出できる。前記発光素子１６と受光素子１７により検出センサ１８が構成される。４０は前記キャリア１０をキャリア移動通路９のなかに移動させるＤＣモータである。
【００２４】
次に、上記証書取扱装置において証書を搬送するときかかる動作を説明する。
証書収納部から装置側通路２０に搬送されてきた証書Ｓは、フィードローラ３１，３２によってキャリア１０のキャリア側通路１１に挿入され、その後、フィードローラ１２，１３によって、図５に示すように、所定位置に搬送される。すると、受光素子１７が発光素子１６からの光を受光できなくなるから、証書Ｓが所定位置に搬送されたことになる。
【００２５】
上記のように証書Ｓが所定位置に搬送されると、フィードローラ３１，３２およびフィードローラ１２，１３の回転は停止され、証書Ｓがフィードローラ１２，１３によりクランプされる。
次に、ＤＣモータ４０は、図６に示すように、キャリア１０を矢印Ａの方向に移動する。すると、フィードローラ１２，１３によりクランプされている証書Ｓは、キャリア１０と一緒に矢印Ａの方向に搬送される。
【００２６】
このとき、発光素子３４と受光素子３５による検出センサは証書Ｓがフィードローラ３１，３２の間に残っているか否かを検出し、証書Ｓが残っている場合は、その旨を制御部１１０に通知する。すると、制御部１１０は、ステッピングモータ３０によりフィードローラ３１，３２をc.c.w.方向に回転駆動させる。このため、証書Ｓに力が掛からなくなり、証書Ｓがスムーズに引き抜かれる。
【００２７】
上記の実施の形態では、証書Ｓがフィードローラ３１，３２の間に残っているときにフィードローラ３１，３２を回転駆動するように説明したが、キャリア１０が移動しているときに、証書Ｓがフィードローラ３１，３２の間に残っているか否かに関わらずフィードローラ３１，３２を回転駆動するようにしてもよい。また、フィードローラ３１，３２の間に残りそうな長い証書を処理するときにフィードローラ３１，３２を回転駆動し、短い証書を処理するときにフィードローラ３１，３２を回転駆動しないようにしてもよい。
【００２８】
【発明の効果】
以上説明したように、本発明では、キャリア側でクランプした証書を引き抜くときに、フィードローラを回転させる。このため、証書がフィードローラの間に残っていても、フィードローラが回転するから、証書がフィードローラによりクランプされることがなくなり、証書の損傷や破損を防止できる。
【図面の簡単な説明】
【図１】本発明の証書取扱装置を含む通帳証書発行装置の側面図である。
【図２】図１の通帳証書発行装置の制御系のブロック図である。
【図３】本発明の参考例として示す証書取扱装置の搬送系の側面図である。
【図４】図３の証書取扱装置による証書の搬送の説明図である。
【図５】本発明の実施の形態を示す証書取扱装置の搬送系の側面図である。
【図６】実施の形態による証書の搬送の説明図である。
【図７】従来の証書取扱装置の搬送系の側面図である。
【図８】従来の証書取扱装置による証書の搬送の説明図である。
【符号の説明】
１            通帳証書発行装置
２ｂ          証書収納部
１０          キャリア
１１          キャリア側通路
１２，１３    フィードローラ
１６，１７    検出センサ
２０          装置側通路
３０          ステッピングモータ
３１，３２    フィードローラ
３３          ワンウェイギア
４０          ＤＣモータ
５０          ステッピングモータ
【図１】
0003608068.tif 000002
【図２】
0003608068.tif 000003
【図７】
0003608068.tif 000004
【図８】
0003608068.tif 000005
【図３】
0003608068.tif 000006
【図４】
0003608068.tif 000007
【図５】
0003608068.tif 000008
【図６】
0003608068.tif 000009